【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
モバイル受信機への伝送のために入力動画画像のシーケンス（１０５）を符号化する動画エンコーダであって、
予測符号化手順を用いて入力画像シーケンス（１０５）を符号化して、前記モバイル受信機へ伝送されるべき符号化画像データのシーケンス（１１１）に変える符号化手段（１１０）と、
個別に復号される画像として、モバイル受信機に別個に伝送するために、他の画像を参照することなく、前記入力動画画像の個別の画像を符号化する静止画像符号化手段（１２０）と、
モバイル受信機に別個に伝送される個別の画像の前記入力画像シーケンス（１０５）における位置を示す同期データを生成する同期手段（１３０）と、
を有することを特徴とする動画エンコーダ。
【請求項２】
前記静止画像符号化手段（１２０）は、個別の画像をフレーム内符号化フレーム（Ｉ）として符号化すること、
を特徴とする請求項１に記載の動画エンコーダ。
【請求項３】
前記静止画像符号化手段（１２０）は、個別の画像をＩＤＲ（Instantaneous Decoding Refresh）アクセスユニットとして符号化すること、
を特徴とする請求項２に記載の動画エンコーダ。
【請求項４】
前記同期手段（１３０）は、前記入力画像シーケンス（１０５）のうちモバイル受信機に別個に伝送される個別の画像の複数について、位置を示す同期データを生成すること、
を特徴とする請求項１乃至３のいずれかに記載の動画エンコーダ。
【請求項５】
前記動画エンコーダは、前記入力画像シーケンス（１０５）のうちの所定の画像を、前記受信機に別個に伝送される個別の画像として選択する選択手段（５０５）を更に有すること、
を特徴とする請求項１乃至４のいずれかに記載の動画エンコーダ。
【請求項６】
前記符号化手段（１１０）は、前記符号化画像データのシーケンス（１１１）のうちの前記の選択された所定の画像を、Ｐフレーム（Ｐ）として符号化すること、
を特徴とする請求項５に記載の動画エンコーダ。
【請求項７】
前記動画エンコーダは、伝送される全てのデータをインターネットプロトコル（ＩＰ）パケット（１４１）にカプセル化するネットワークパケタイザ（１４０）を更に有すること、
を特徴とする請求項１乃至６のいずれかに記載の動画エンコーダ。
【請求項８】
前記パケット（１４１）が、前記同期データ内に含まれる形でタイムスタンプを有すること、
を特徴とする請求項７に記載の動画エンコーダ。
【請求項９】
前記ネットワークパケタイザ（１４０）は、データを、ユーザデータグラムプロトコル（ＵＤＰ）およびリアルタイムプロトコル（ＲＴＰ）と共に、インターネットプロトコル（ＩＰ）のパケットにカプセル化すること、
を特徴とする請求項７または８に記載の動画エンコーダ。
【請求項１０】
前記同期手段（１３０）は、リアルタイムプロトコル（ＲＴＰ）パケットのヘッダに前記タイムスタンプを挿入して、入力画像シーケンス（１０５）の同じ画像から生じたデータを有するリアルタイムプロトコル（ＲＴＰ）パケットが同じタイムスタンプを有する、という形にすること、
を特徴とする請求項８または９に記載の動画エンコーダ。
【請求項１１】
リアルタイムプロトコル（ＲＴＰ）パケットは、シーケンスのうち前記同期データが示す画像位置を含む符号化画像データを含み、そして、リアルタイムプロトコル（ＲＴＰ）パケットは、同じタイムスタンプを有する前記個別の画像のデータを含むこと、
を特徴とする請求項１０に記載の動画エンコーダ。
【請求項１２】
リアルタイムプロトコル（ＲＴＰ）パケットは、シーケンスのうち前記同期データが示す画像位置を含む符号化画像データを含み、そして、リアルタイムプロトコル（ＲＴＰ）パケットは、お互いに近いタイムスタンプを有する前記個別の画像のデータを含むこと、
を特徴とする請求項１０に記載の動画エンデコーダ。
【請求項１３】
符号化画像データのシーケンス（１１１）をモバイル受信機に伝送する送信機であって、
請求項１乃至１２のいずれかに記載の動画エンコーダと、符号化画像データの前記シーケンス（１１１）と前記個別の画像（１１２）と前記同期データ（１１１，１１２）とを伝送する伝送手段と、を有すること、
を特徴とする送信機。
【請求項１４】
前記伝送手段は、符号化画像データの前記シーケンス（１１１）をバースト（１０）の形式で伝送し、前記バースト（１０）は、第１の伝送チャンネル上で、間隔（２０）をおいて伝送されること、
を特徴とする請求項１３に記載の送信機。
【請求項１５】
前記個別の画像を伝送するための前記バースト（５０）は、各々が個別の画像を１つだけ含むこと、
を特徴とする請求項１４に記載の送信機。
【請求項１６】
符号化画像データの前記シーケンス（１１１）を伝送するための前記バースト（１０）の間の間隔（２０）は、個別の画像（１２１）を伝送するための前記バースト（５０）の間の間隔（６０）よりも長いこと、
を特徴とする請求項１５に記載の送信機。
【請求項１７】
モバイル受信機において符号化画像データを復号する動画デコーダであって、前記モバイル受信機は、符号化画像データのシーケンス（２２１）および個別の画像の画像データ（２２２）を、画像シーケンスに対する前記個別の画像の位置を示す同期データと共に受信するものであり、前記動画デコーダは、
予測復号手順を用いて符号化画像データの画像シーケンス（２２１）を復号する復号手段（２２０）と、
前記個別の画像の位置に基づいて前記復号手段（２２０）の復号処理を開始させる同期手段（２６０）であって、示された位置の後に続く符号化画像データの予測復号において個別の画像が参照画像として参照される、という形で開始させる同期手段（２６０）と、を有すること、
を特徴とする動画デコーダ。
【請求項１８】
個別の画像の前記受信された画像データ（２２２）は、符号化画像データであり、そして、
前記動画デコーダは、前記個別の画像の前記符号化画像データを復号する静止画像復号手段（２２０）を更に有すること、
を特徴とする請求項１７に記載の動画デコーダ。
【請求項１９】
前記個別の画像は、シーケンスのうち前記同期データが示す画像位置を含む符号化画像データを含んだバースト（１０）に先立って受信されること、
を特徴とする請求項１７または１８に記載の動画デコーダ。
【請求項２０】
モバイル受信機（２００）において符号化画像データを復号する方法であって、前記モバイル受信機は、符号化画像データのシーケンス（２２１）および個別の画像の画像データ（２２２）を、画像シーケンスに対する前記個別の画像の位置を示す同期データと共に受信するものであり、前記方法は、
予測復号手順を用いて符号化画像データの画像シーケンス（２２１）を復号する復号ステップ（Ｓ３６０）と、
前記同期データを用いて前記個別の画像の位置に基づいた復号ステップ（Ｓ３６０）を開始させるステップ（Ｓ２２０，Ｓ２３０，Ｓ２４０）であって、示された位置の後に続く符号化画像データの予測復号において個別の画像が参照画像として参照される、という形で開始させるステップと、を有すること、
を特徴とする方法。
【請求項２１】
個別の画像の前記受信された画像データは符号化画像データであり、そして、
前記方法は、前記個別の画像の前記符号化画像データ（２２２）を復号する復号ステップ（Ｓ１７０）を更に有すること、
を特徴とする請求項２０に記載の方法。
【請求項２２】
符号化画像データのシーケンス（２２１）を受信して表示するモバイル受信機であって、
符号化画像データの前記シーケンス（２２１）および個別の画像の画像データ（２２２）を、前記画像シーケンスに対する前記個別の画像の位置を示す同期データと共に受信する受信セクション（２１０）と、
請求項１７乃至１９のいずれかに記載の動画デコーダ（２２０）と、
前記受信セクション（２１０）によって受信されて、前記動画デコーダ（２２０）によって復号された画像データを表示するディスプレイ（２５０）と、を有すること
を特徴とするモバイル受信機。
【請求項２３】
モバイル受信機への伝送のために入力動画画像のシーケンス（１０５）を符号化する方法であって、
予測符号化手順を用いて入力画像シーケンス（１０５）を符号化して、前記モバイル受信機へ伝送されるべき符号化画像データのシーケンス（１１１）に変える符号化ステップと、
他の画像を参照することなく、個別に符号化される画像として、モバイル受信機に別個に伝送するために、前記入力動画画像の個別画像を符号化する静止画像符号化ステップと、
モバイル受信機に別個に伝送される個別の画像の前記入力画像シーケンス（１０５）における位置を示す同期データを生成する同期ステップと、
を含むことを特徴とする方法。
【請求項２４】
符号化画像データの前記シーケンス（１１１）を伝送するための前記バースト（１０）の間の間隔（２０）は、個別の画像（１２１）を伝送するための前記バースト（５０）の間の間隔（６０）よりも長いこと
を特徴とする請求項２３に記載の方法。